(57)【要約】【課題】  紙おむつ、紙パンツ、尿取りパッド等の尿受け具の使用時に出る尿臭を、ＢＮ菌を使用して尿臭の軽減を計る、消臭機能付尿受具を提供する。【解決手段】  元来、消臭効果を持つＢＮ菌あるいはＢＮ菌を付着させた珪藻土を綿状パルプに高分子吸収剤と共に絡ませ全体に混入した高分子消臭吸収シートにより尿臭の軽減を計る。また、テープ止め型紙おむつ、紙パンツ、尿取りパッドにおいては、陰部の当たる部分にＢＮ菌あるいはＢＮ菌を付着させた珪藻土を綿状パルプに絡めた適宜寸法の消臭シートを設置すると伴に、ＢＮ菌の溶解液を含浸させた化学繊維不織布で全体を覆うことにより尿臭の軽減を計る。【選択図】  図２
2006136675.tif 000002
【特許請求の範囲】
【請求項１】
吸収性を有するシート本体と、シート本体にほぼ均一に配在されたバチラス・サブチリスＢＮ１００１と、シート本体を覆う吸水性を有するカバー体とよりなる尿受けシート。
【請求項２】
紙おむつ、紙パンツ、尿取りパッド等の尿受け具の尿受け部に尿受けシートを設けた消臭機能付尿受け具。
【発明の詳細な説明】
【技術の分野】
【０００１】  本発明は、特許番号第２５５３７２７ＢＮ菌バチラス・サブチリスＢＮ１００１を、紙おむつ、紙パンツ、尿取りパッド等の尿受け具に配合することで、生物的消臭法により尿臭を軽減すると共に、体に安全な消臭機能付尿受け具に関するものである。
【背景技術】
【０００２】  従来の紙おむつ及び紙パンツは、高分子吸収シートにより悪臭を閉じ込めるという物理的脱臭法、ならびに芳香成分で消臭するという感覚的消臭法が用いられている。
【発明の開示】
【発明が解決しようとする課題】
【０００３】  そのために、次のような問題点があった。
高齢者の介護者や、赤ん坊の世話をする母親等、紙おむつ、紙パンツ、尿取りパッド等の尿受け具を交換する者は、尿臭に対して我慢を強いられてきた。
本発明は、この問題を解決しようとするものである。
【課題を解決するための手段】
【０００４】  ＢＮ菌のアンモニア・硫化水素・トリメチルアルデヒド・酢酸エチル・メチルメルカプタン等の生物的消臭作用を利用し、これを紙おむつ、紙パンツ、尿取りパッド等の尿受け具に配合することで尿臭の軽減を計る。
以上を特徴とする消臭機能付尿受具である。
【発明の効果】
【０００５】  本発明は、従来の紙おむつ、紙パンツ、尿取りパッド等の尿受け具の機能に加えて、体に安全なバクテリアであるＢＮ菌によって尿臭の元となる物質を分解消臭することで、尿臭を軽減することができる。また、本発明は科学的消去法ではなく、ＢＮ菌の分泌する種々の酵素により尿臭を分解・除去するという消臭法を用いているため、かぶれやアレルギーに対する安心度が高い。
【発明を実施するための最良の形態】
【０００６】  以下、本発明の第一実施形態について説明する。
まず、本発明の特徴である高分子消臭吸収シート（１）は、綿状パルプに高分子吸収材と、ＢＮ菌あるいはＢＮ菌を付着させた綿状パルプ内に均等に混ざるように微粒子化した珪藻土を一様に絡ませて構成されたものである。
以下は、この高分子消臭吸収シート（１）をフラット型紙おむつとして使用する事例として説明する。
この紙おむつは、裏面に配置される防水素材であるバックシート（３）と、吸収体と、表面に配置される化学繊維不織布（４）とにより構成されている。バックシート（３）と化学繊維不織布はフラット型紙おむつを形成するための大きさよりなる長方形となっている。
吸収体は、これよりも各辺において短くなった長方形状のものである。この吸収体は、長方形状の高分子消臭吸収シート（１）を吸水紙（２）で包み込んだものである。なお、図示していないが吸水紙を巻き返し重なり部分は粘着材で接着し、この部分をバックシート側とする。この吸収体をバックシート（３）の中央に設置し、その上から化学繊維不織布（４）で覆い、バックシートと化学繊維不織布を粘着材等（５）で周辺を粘着あるいは溶着などの手段によりとりつけたものである。
これを使用するときは、おむつカバーと共に使用する。人体から排泄された尿は、化学繊維不織布を通して吸収紙に包まれた高分子消臭吸収シートへと浸透し拡散する。高分子消臭吸収シートに於いて休眠状態にあるＢＮ菌に尿の水分が与えられることによりＢＮ菌が活動を始める。また、体温によりＢＮ菌が活発に活動しうる温度を保つことができるため、ＢＮ菌による消臭効果を受けることができる。【０００７】  以下、本発明の第二実施形態について説明する。
まず、本発明の消臭シートについて図３にて説明する。微粒子状、ゲル状等のＢＮ菌（６）を、綿状パルプ（７ａ）の上面に一様に敷き詰め，これが偏り等を起こさないよう綿状パルプ（７ｂ）で覆う。この際、ＢＮ菌は上下に配置された綿状パルプの繊維交絡部の隙間に絡みつき位置的安定が計られる。この積層素材を吸収紙（８）で包む。図示しないが吸水紙を巻き返し、重なり部分は粘着材で接着する。この消臭シート（９）は以上のように構成されたものとする。また、使用する尿受具の携帯によって消臭シートの大きさは異なる。また、ＢＮ菌に関しては、ＢＮ菌を付着させ微粒子化した珪藻土であっても良い。
図４は、この消臭シート（９）をテープ止め型紙おむつとして使用する事例で説明する。
この紙おむつは、裏面に配置される防水素材であるバックシート（１５）と、表面に配置される化学繊維不織布（１６）で挟み込まれる吸収シート（１２）と、吸収シート中の陰部の当たる部分に設置される消臭シートにより構成される。また、陰部に密着しやすいように消臭シートの両側に筋押し加工（１１）を施す。
次に、図５に、この消臭シート（９）が配置される部分の断面図を用いて説明する。
消臭シート（９）の裏面を粘着材（１９ａ）で綿状パルプに高分子吸収材を均一に絡ませた高分子吸収シート（１２）に接着固定する。これを吸収紙（１３）に包む。なお、図示していないが吸水紙を巻き返し重なり部分は粘着材で接着する。ＢＮ菌を混入した水溶液を含浸させ、乾燥させた化学繊維不織を内面シート（１４）とし、吸水紙（１３）の裏面に巻き込み粘着１９（ｂ）で接着する。この積層素材をバックシート（１５）の中央に配置しバックシート（１５）と表面シート（１６）である化学繊維不織布を周辺で粘着あるいは溶着などの手段により取り付けたものである。また、股間の部分については、表面シートに化学繊維不織布（１７）を粘着あるいは溶着などの手段により立ち上げ伸縮材（１８）を通してギャザーを寄せることにより尿漏れを防止する。尚、図示していないが、接着部分は粘着材等を用いて接着する。
本発明は、以上の構成よりなっている。
本発明を使用するときは、従来のテープ止め型紙おむつと同様に使用する。人体より排泄された尿の大半は化学繊維不織布を通して吸収紙に包まれた消臭シートへと到達する。到達した尿は休眠状態にあるＢＮ菌に水分を与えることによりその活動を開始させる。また、体温によりＢＮ菌が活発に活動しうる温度を保つことができるため、ＢＮ菌による消臭効果を受けることができる。ＢＮ菌は尿の広がりに伴い吸収体の中に広がる。また、尿は化学繊維不織布の上で多少の広がりを見せる。そのためにＢＮ菌を含浸させた内面シートがこれを受け止めることで、より消臭能力を増すことができる。
本事例に於いては、高分子吸収シート（１２）の上に消臭シート（９）を配置したものであるが、この消臭シートを外し、高分子吸収シート自体の少なくとも尿受部分にＢＮ菌を混在させたものであってもよい。
この消臭シートは、紙パンツ、尿とりパッド等の尿受具に使用する。消臭シートの大きさは、それぞれの尿受具の形態によって異なる。
また、ＢＮ菌の混在混入方法としては、上記各事例で挙げた手法の他に、ＢＮ菌が生存可能でしかもＢＮ菌を死滅させない範囲で乾燥可能な水溶液を利用するものも挙げられる。
上記水溶液を布おむつに噴霧することによって同様の効果を得ることができる。
【図面の簡単な説明】
【０００８】
【図１】フラット型紙おむつ分解図
【図２】フラット型紙おむつ断面図
【図３】消臭シート断面図
【図４】テープ止め型紙おむつ開平図
【図５】テープ止め型紙おむつ断面図
【符号の説明】
【０００９】１  高分子消臭吸収シート
２  吸水紙
３  バックシート
４  化学繊維不織布
５  粘着材
６  ＢＮ菌あるいはＢＮ菌を付着させ微粒子化した珪藻土
７；７ａ；７ｂ  綿状パルプ
８  吸水紙
９  消臭シート
１０吸収体
１１筋押し加工
１２高分子吸収シート
１３吸水紙
１４内面シート
１５バックシート
１６化学繊維不織布
１７化学繊維不敷布
１８伸縮材
１９；１９ａ；１９ｂ  粘着材
【図１】
2006136675.tif 000003
【図２】
2006136675.tif 000004
【図３】
2006136675.tif 000005
【図４】
2006136675.tif 000006
【図５】
2006136675.tif 000007